(57)【要約】      （修正有）【課題】コンピュータのハッカー等による、不正アクセス、不正操作、情報流出等のセキュリティ・リスクからコンピュータシステムを防護する。【解決手段】ＵＳＢ、ＣＤ−ＲＯＭ、ＨＤＤ、ＦＤＤ、ＲＯＭ、あるいはＣＭＯＳ等のメモリにＢＩＯＳ、ＢＯＯＴプログラムあるいはＯＳカーネルＬＯＡＤＥＲプログラム等のシステム起動に必要なプログラムを記憶し、起動時にそれがないと起動を中断するなどの、ハ−ドウェアに近い下位層のソフトウェアでのシステム起動の制御機能を有する。また、セキュア領域用システムの装備、ネットワ−ク経由で送受する情報の保護機能も有する。【選択図】図１
2006318435.tif 000002
【特許請求の範囲】
【請求項１】
コンピュ−タ・システムにあって、コンピュ−タのハッカ−等による、不正アクセス、不正操作、情報流出等のセキュリティ・リスクから防護するために、ＵＳＢ，ＣＤ−ＲＯＭ、ＨＤＤ，ＦＤＤ、ＲＯＭ、あるいはＣＭＯＳ等のメモリ−にＢＩＯＳ，ＢＯＯＴプログラムあるいはＯＳカ−ネルＬＯＡＤＥＲプログラム等のシステム起動に必要なプログラムを記憶し、起動時にそれが無いと起動を中断することを特徴とするセキュリティ対策のためのシステム。
【請求項２】
請求項１記載のシステムにあって、ＢＩＯＳ，ＢＯＯＴ，ＯＳカ−ネルＬＯＡＤＥＲ等の記憶されるプログラムがユ−ザ−識別ＩＤ，あるいはパスワ−ドあるいは機器固有の番号その他の識別コ−ドをチェックし、不正使用を検知、システムの起動を中断する機能を備えることを特徴とするシステム。
【請求項３】
請求項１記載のシステムにあって、ＢＩＯＳ，ＢＯＯＴ，ＯＳカ−ネルＬＯＡＤＥＲ等のシステム起動に必要なプログラムの実行に先立って、ユ−ザ−識別  ＩＤ，あるいはパスワ−ドあるいは機器固有の番号等の識別コ−ドをチェックし、不正使用を検知した場合に、起動時のプログラムの実行を行わない機能を有するプログラムを特徴とするシステム。
【請求項４】
請求項１記載のシステムにあって、ＢＩＯＳ設定者としてのパスワ−ドを設定し、不正にＢＯＯＴ、ＯＳカ−ネルＬＯＡＤＥＲ等のシステム起動に必要なプログラムが特定の接続機器以外からの読み込みを不能にすることを特徴とするシステム。
【請求項５】
請求項１記載のシステムにあって、記憶されるプログラムが、コンピュ−タの  Ｉ／Ｏの作動をマスクする機能あるいはＩ／Ｏインタラプション処理プログラムに制限を加える機能を備えることを特徴とするシステム。
【請求項６】
請求項１載のシステムにあって、ＩＤ、パスワ−ド等の識別コ−ドがユ−ザ−独自に設定可能にしたことを特徴とするシステム。
【請求項７】
請求項１記載のシステムにあって、ＩＤ、パスワ−ド等の識別コ−ドがＢＩＯＳの設定機能により設定されたＣＭＯＳの情報を参照してＵＳＢメモリ−等の記憶装置に記憶することができるようにしたことを特徴とするシステム。
【請求項８】
請求項１記載のシステムにあって、パスワ−ド等の識別コ−ドをダイナミックに変化させることを特徴とするシステム。
【請求項９】
請求項１記載のシステムにあって、ＵＳＢメモリ−等の記憶装置が紛失した場合、ＢＩＯＳ  設定、ＢＯＯＴプログラム、ＯＳカ−ネルＬＯＡＤＥＲ等のプログラムの対比情報あるいはプログラム自体を変更できるようにしたことを特長とするシステム。
【請求項１０】
コンピュ−タ・システムにあって、コンピュ−タの不正使用、情報流出を防止するために、セキュアな領域とノンセキュアな領域との複数のシステム環境を備えることを特徴とするセキュリティ対策のためのシステム。
【請求項１１】
請求項１０記載のシステムにあって、セキュアな領域とノンセキュアな領域が複数のコンピュ−タ・ハ−ドウェアにより構成され、セキュアな領域の起動が、請求項１から請求項９に記載のコントロ−ルを行う機能を備えることを特徴とするシステム。
【請求項１２】
請求項１０記載のシステムにあって、セキュアな領域とするシステム環境がノンセキュアな領域とは別のプロセッサ−、ＨＤＤ、Ｉ／Ｏポ−ト等を内蔵したハ−ドウェアにより構成され、ノンセキュアなシステムにＰＣＩバスあるいはＬＡＮにより接続されていることを特徴とするシステム
【請求項１３】
請求項１０記載のシステムにあって、セキュアな領域とするシステム環境のＨＤＤ、Ｉ／Ｏポ−ト等のハ−ドウェアの作動を制限する機能を有するプログラムを備えることを特徴とするシステム。
【請求項１４】
請求項１０記載のシステムにあって、セキュアな領域への実行可能プログラムの書き込みを制限する機能を有するプログラムを備えることを特徴とするシステム。
【請求項１５】
コンピュ−タ・システムにあって、コンピュ−タの不正使用、情報流出を防止するために、送受するデ−タを複数に分解、暗号化、あるいは分解したデ−タ・パケットのシ−ケンスを変更、あるいは、複数の経路にスプリットして送出し、受信時に逆変換する機能を有し、本システムのセットされている相手システムに限定して送受信を行うことを特徴とするセキュリティ対策のためのシステム。
【請求項１６】
請求項１５記載のシステムにあって、ネットワ−クポ−トあるいは回線路の間に接続し、デ−タを複数に分解、暗号化、あるいは分解したデ−タ・パケットのシ−ケンスを変更、あるいは、複数の経路にスプリットして送出し、受信時に逆変換する機能を有するハ−ドウェアおよびそれに記憶されるソフトウェアを備えることを特徴とするシステム。
【請求項１７】
請求項１５記載のシステムにあって、コンピュ−タ内に記憶した、送受するデ−タを複数に分解、暗号化、あるいは分解したデ−タ・パケットのシ−ケンスを変更、あるいは、複数の経路にスプリットして送出し、受信時に逆変換する機能を有するソフトウェアを備えることを特徴とするセキュリティ対策のためのシステム。
【発明の詳細な説明】
【技術分野】
【０００１】  本発明は、コンピュ−タのセキュリティ対策システムに関する。［背景技術］【０００２】  本発明の背景技術は、コンピュ−タプロセッサ−を中心として構成されるコンピュ−タ・ハ−ドウェアおよび基本ソフトウェア等である。［発明の開示］［発明が解決しようとする課題］【０００３】  従来のコンピュ−タのセキュリティ対策にあっては、上位層のプログラムによるプロテクションが多く、高度な技術を持った者による不正に対して十分に防護が困難なことが重篤な課題であり、本発明は強固なセキュリティ対策システムを実現することを目的としている。［課題を解決するための手段］【０００４】  上記目的を達成するため、本発明のセキュリティ対策システムは、ハ−ドウェアに近い下位レイヤ−でのプロテクション機能を発揮するア−キテクチャ−としており、従来のものに比較し、飛躍的に強固なセキュリティ保護機能を発揮する。［発明の効果］【０００５】  本発明は、以上に説明したように構成されているので、前記「課題を解決する手段」に記載の強力なセキュリティ保護機能を有する。［発明を実施するための最良の形態］【０００６】  本発明を実施するための最良の形態は、本発明のハ−ドウェアを直接制御する下位層のプログラムの装備あるいはセキュアなシステム領域の作成、およびネットワ−クへの情報の送受におけるプロテクション機能の各々が従来のセキュリティ対策に比較してはるかに強力なものであり、さらに、それらの機能を複合で適用することにより、より強固なセキュリティ対策が実現できる最良の実施形態であり、以下の実施例は、複合形態例の構成を示している。［実施例］【０００７】  本発明の実施の形態を実施例にもとづき図面を参照して説明すると、システム全体１１の構成は、セキュア領域とノンセキュア領域から構成されており、各領域はプロセッサ−およびプロセッサ−１５を内蔵し、その間をＰＣＩブリッジあるいはＬＡＮ等のネットワ−ク１６で接続されている。【０００８】  さらに、プロセッサ−にはシステムの不正による起動を防止するプログラムあるいはパスワ−ド等デ−タを内臓したＵＳＢメモリ−１８およびＨＤＤ（ハ−ドディスク）１９がせつぞくされ、また、プロセッサ−の主記憶装置には、セキュア領域への書き込み制限、Ｉ／Ｏ装置との接続をマスクする機能等を有したプログラム２０およびネットワ−クでの情報送受の変換、逆変換およびその制御を行うプログラム２１を内蔵するようになっている。【０００９】  本実施例におけるセキュリティ保護機能を発揮する各プログラム例についてセキュリティ対策プロダクトという性格上ア−キテクチャ−の詳細を公開できないが、可能な限り記述すると、ＵＳＢメモリ−１８に記憶したプログラムは、設定したパスワ−ドを秘匿した照合対象とチェックする等の機能を有し、チェックを通過しない限りシステム起動が中断するような仕組みとなっている。【０００１０】  本実施例では、ネットワ−クでの情報送受の変換、逆変換およびその制御を行うプログラム２１は、送信情報を特殊なアルゴリズムで分解し、複数の回線に分散し送信する機能と受信した情報を合成し復元する機能を備えたプログラム群で構成されている。【００１１】  本実施例において、主記��装置に書き込まれるＩ／Ｏ装置との接続をマスクする機能等を有したプログラム２０は、セキュア領域のプロセッサ−のインタ−ラプションをマスクする機能により不正を防止するプログラムとなっている。【０００１２】  本実施例の構成により、不正なシステム起動の防止、クリティカルなアプリケ−ション・プロセスへの侵害の防止、重要なデ−タの保護およびネットワ−ク上での情報流出、不正プログラムあるいはデ−タの投入等のセキュリティリスクからの強固なプロテクション機能を実現している。［産業上の利用可能性］【００１３】  本発明は、従来のコンピュ−タのセキュリティ対策が弱いため、情報流出、不正等による被害が大きな社会問題となっている中、強力なセキュリティ保護機能を提供するものであり、産業上、画期的な効果を発揮するものである。
【図面の簡単な説明】
【００１４】
【図１】本発明のセキュリティ対策システムの実施例を示す概括システム全体図である。
【符号の説明】
【００１５】１１  システム全体１２  セキュア領域システム１３  ノンセキュア領域システム１４  セキュア領域システム・プロセッサ−１５  ノンセキュア領域システム・プロセッサ−１６  セキュア領域・ノンセキュア領域プロセッサ−間接続１７  ネットワ−クポ−ト接続セキュリティ保護システム１８  ＵＳＢメモリ−１９  ＨＤＤ（ハ−ドディスク記憶装置）２０  システム起動セキュリティ保護プログラム２１  情報送受セキュリティ保護プログラム
【図１】
2006318435.tif 000003